(57)【要約】      （修正有）【課題】装飾部材と反射部材とを備え、装飾的な表現が施された表示板及びこの表示板を用いた時計を提供する。【解決手段】文字板１００（表示板の一例）は、複数の繊維状の遮光部及び複数の遮光部の間に形成された透光部を有するシート状の和紙２０（装飾部材の一例）と、和紙の裏面２６側に配置されて、入射した光の少なくとも一部を反射する反射板３０と、を有し、和紙の表面２５に、金箔片５０（小部材の一例）が接着剤６０により接着されている。【選択図】図２
2020139943.tif 000002
【特許請求の範囲】
【請求項１】
複数の繊維状の遮光部及び複数の前記遮光部の間に形成された透光部を有するシート状の装飾部材と、
前記装飾部材の背面側に配置されて、入射した光の少なくとも一部を反射するシート状の反射部材と、を有し、
前記装飾部材の表面に、前記装飾部材よりも小さい小部材が接着されている表示板。
【請求項２】
前記装飾部材の前記表面に接して、光透過性を有するシート状部材が配置されている請求項１に記載の表示板。
【請求項３】
前記小部材は、前記装飾部材の前記遮光部の表面に沿って固定されている請求項１又は２に記載の表示板。
【請求項４】
前記小部材は、前記装飾部材における視認側の表面に、接着剤により接着されて配置されている請求項１から３のうちいずれか１項に記載の表示板。
【請求項５】
前記小部材は、箔片、粒状、粉末状又は繊維状の部材である請求項１から４のうちいずれか１項に記載の表示板。
【請求項６】
前記箔片は、金属箔片である請求項５に記載の表示板。
【請求項７】
前記装飾部材は和紙である請求項１から６のうちいずれか１項に記載の表示板。
【請求項８】
前記反射部材は、視認側から入射した光又は電波の少なくとも一部を透過させる特性を有する請求項１から７のうちいずれか１項に記載の表示板。
【請求項９】
請求項１から８のうちいずれか１項に記載の表示板を文字板として用いた時計。
【発明の詳細な説明】
【技術分野】
【０００１】
本発明は表示板及びこの表示板を用いた時計に関する。
【背景技術】
【０００２】
例えば時計に用いられる文字板等の表示板には、様々な装飾が施されることがある。この装飾として例えば和紙を用いた表示板が提案されている（例えば、特許文献１参照）。特許文献１に記載された表示板は、和紙等の装飾部材と、その背面側に配置されて光を反射する反射部材とを有している。
【先行技術文献】
【特許文献】
【０００３】
【特許文献１】特開２０１８−１１９８０７号公報
【発明の概要】
【発明が解決しようとする課題】
【０００４】
特許文献１に記載された表示板は、基本的には、装飾部材そのものの素材色であるが、必要に応じて、装飾部材や反射部材を単一色で均一に着色したものも開示されている。
【０００５】
しかし、上述した着色は、表示板全体を均一に着色したものにとどまり、さらなる装飾的な表現が望まれている。
【０００６】
本発明はこのような事情に鑑みなされたものであって、装飾部材と反射部材とを備え、装飾的な表現が施された表示板及びこの表示板を用いた時計を提供することを目的とする。
【課題を解決するための手段】
【０００７】
本発明の第１は、複数の繊維状の遮光部及び複数の前記遮光部の間に形成された透光部を有するシート状の装飾部材と、前記装飾部材の背面側に配置されて、入射した光の少なくとも一部を反射するシート状の反射部材と、を有し、前記装飾部材の表面に、前記装飾部材よりも小さい小部材が接着されている表示板である。
【０００８】
本発明の第２は、本発明に係る表示板を文字板として用いた時計である。
【発明の効果】
【０００９】
本発明に係る表示板及びこの表示板を用いた時計によれば、装飾部材と反射部材とを備え、装飾的な表現を行うことができる。
【図面の簡単な説明】
【００１０】
【図１】本発明に係る表示板の一実施形態である文字板を用いた時計を示す平面図である。
【図２】図１に示した文字板の模式的な断面図である。
【図３】図２に示した文字板における和紙を示す平面図である。
【発明を実施するための形態】
【００１１】
以下、本発明に係る表示板及びこの表示板を文字板として用いた時計の実施形態について、図面を参照して説明する。図１は本発明に係る表示板の一実施形態である文字板１００を用いた時計２００を示す平面図、図２は図１に示した文字板１００の模式的な断面図、図３は図２に示した文字板１００における和紙２０を示す平面図である。
【００１２】
＜構成＞
本実施形態の文字板１００は、図１に示すように、例えば時計２００に用いられている。この文字板１００の上面１００ａ（図２参照）には、インデックスバー７０や目盛り８０が設けられている。インデックスバー７０は、時計２００の時針９１が指し示す「時」を表す指標である。目盛り８０は、時計２００の分針９２が指し示す「分」及び時計２００の秒針９３が指し示す「秒」を表す指標である。
【００１３】
文字板１００は、図２に示すように、文字板１００に対して直交する方向の外部から文字板１００を見たとき（平面視）の視線の向きの上流側である視認側から順に、透明上板１０（光透過性を有するシート状部材の一例）、和紙２０（装飾部材の一例）、反射板３０（反射部材の一例）が重ねられて構成されている。
【００１４】
なお、文字板１００の中心部には、時針９１、分針９２及び秒針９３の軸を通すための中心孔１０３や時計の日板９４に表示された日付の数字を露出させる矩形の開口１０４が形成されている。
【００１５】
透明上板１０は、無色透明又は有色透明のシート状の樹脂又はガラスであり、視認側の表面１１及び背面となる裏面１２がともに平滑な面に形成されている。透明上板１０は、可視光領域の光を透過させる光透過性を有している。なお、本発明に係る表示板は、透明上板１０を備えるものに限定されず、透明上板１０を備えない構成であってもよい。
【００１６】
和紙２０は、繊維又は繊維の束（複数の繊維状に形成されているもの。以下、繊維及び繊維束を繊維等と総称する。）が互いに不規則な向きに並んで、その厚さ方向（視線の向きに沿った方向）に積み重なった、厚さが例えば数十［μｍ］のシート状に形成されている。
【００１７】
ここで、繊維等は例えば植物の繊維等で形成されていて、可視光領域の光に対して不透明である。したがって、和紙２０の繊維等は、図３に示すように、平面視において繊維状の遮光部２１となる。
【００１８】
また、和紙２０の繊維等は、上述したように不規則に絡み合っているが、繊維等の間の隙間の部分は、平面視において可視光領域の光を通す透光部２２を形成している。
【００１９】
そして、和紙２０は、これら繊維等である遮光部２１と隙間である透光部２２とによって、平面視において微細な模様を形成している。ここで、微細とは、例えば１［ｍｍ］以下の大きさで、かつ肉眼で模様と識別し得る大きさ以上の寸法範囲である。和紙２０は、上述した微細な模様を有することで、時計を装飾する装飾部材の一例となる。
【００２０】
なお、和紙２０にも、文字板１００の中心孔１０３に対応した中心孔及び開口１０４に対応した開口が形成されているが、図示では省略している。
【００２１】
反射板３０は、厚さが例えば１５０［μｍ］のシート状に形成され、視線の側から、和紙２０の透光部２２などを通って入射した可視光領域の光の少なくとも一部（全部であってもよい）を反射する機能を有している。反射板３０は、視認側の表面３１及び背面となる裏面３２がともに平滑な面に形成されている。反射板３０は、入射した光の一部を表面３１で反射する一方、一部の光を内部に透過させて背面である裏面３２から外部に出射する特性を有する。
【００２２】
反射板３０は、例えば、屈折率の異なるナノメートルのオーダーの層厚の樹脂による数百以上の層数の積層構造で形成されたものである。この反射板３０は、表面３１が鏡面に形成されて一部の光を反射するとともに、屈折率の異なる積層樹脂のそれぞれの境界面で光を反射することにより、樹脂でありながら金属調の光沢を有している。そして、金属の蒸着膜を用いていないため、電波の透過性が良好という特性を有している。
【００２３】
反射板３０の表面３１には、特段の装飾がなされていなくてもよいし、例えば、グラデーションや模様などの装飾が形成されていてもよい。グラデーションとしては、単色の明度が変化したものや、色相が変化したものや、彩度が変化したものなどを適用することができる。
【００２４】
なお、反射板３０にも、文字板１００の中心孔１０３に対応した中心孔及び開口１０４に対応した開口が形成されているが、図示では省略している。
【００２５】
文字板１００は、反射板３０が光透過性を有することにより、外部（視認側）から文字板１００に入射した光の少なくとも一部を反射板３０の裏面３２に導いて透過させることができる。また、文字板１００は、反射板３０の背面側の光を反射板３０の表面３１に導いて視認側に出射させることもできる。文字板１００は、例えば透過率が１５［％］以上である。
【００２６】
本実施形態における時計２００は、反射板３０の背面側に、例えば、照射された光により発電するソーラセル９５を備えているため、外部から文字板１００に入射した光が反射板３０を透過してソーラセル９５に照射することができ、ソーラセル９５が発電した電気を利用して時計２００を駆動することができる。
【００２７】
また、時計２００がソーラセル９５を有しなくても、例えば、反射板３０の背面側にＬＥＤ等の照明機器を配置したものでは、反射板３０の背面側から視認側の表面３１に向けて光を出射させることができる。なお、反射板３０の背面側にソーラセル９５や照明機器を有しない時計に用いられる場合は、反射板３０の背面側に光を透過する必要がないため、文字板の１００の反射板３０は光透過性を有しなくてもよい。
【００２８】
ここで、和紙２０は、反射板３０の表面３１上に配置されている。具体的には、反射板３０の表面３１に塗布された接着剤４０によって、和紙２０の、視線の向きの背面側となる裏面２６が反射板３０の表面３１に接着されている。
【００２９】
接着剤４０は、その厚さが和紙２０の厚さ（視認側の表面２５から裏面２６までの寸法）よりも薄い状態となっている。そして、和紙２０の表面２５は、接着剤４０が含浸していない非接着領域となっている。
【００３０】
なお、反射板３０の表面３１に接着剤４０が塗布されていることで、和紙２０の裏面２６と反射板３０の表面３１との間には接着剤４０の層が形成されて、和紙２０の裏面２６と反射板３０の表面３１とは物理的には厳密に直接接していない部分も存在するが、技術的には接していると同視することができ、和紙２０が反射板３０の表面３１上に配置されていると解することができる。
【００３１】
和紙２０は、裏面２６の少なくとも一部が反射板３０の表面３１と接するまで反射板３０に近接して配置されるのが好ましい。この場合、和紙２０の遮光部２１を反射面（反射板３０の表面３１）に最も近づけることができ、遮光部２１の、反射面による反射像を視認させ難くすることができる。
【００３２】
なお、図２においては、和紙２０の裏面２６が反射板３０の表面３１に接していない記載となっているが、これは接着剤４０を視認し易くするための便宜に過ぎず、図面の表現として、上述したように、和紙２０の裏面２６が反射板３０の表面３１に接して表現してもよいし又は接しないように表現してもよい。
【００３３】
接着剤４０は、例えば、ホットメルト接着剤である。ホットメルト接着剤は、摂氏８０〜１００［度］の熱をかけることで融かして接着させる接着剤である。ホットメルト接着剤は、エチレン酢酸ビニルのような熱可塑性プラスチックなどの材料で形成されている。
ホットメルト接着剤は、温度を降下させることで固めることができるため、和紙２０に浸透する程度を制御するのに適している。
【００３４】
和紙２０の、視線の向きの側の面（透明上板１０に対向する面）である表面２５には、小部材の一例としての箔片の一例である金箔片５０が多数配置されている。これらの金箔片５０は、和紙２０の表面２５に薄く塗られた接着剤６０により、表面２５に接着されている。金箔片５０は、和紙２０よりも小さいサイズである。なお、金箔片５０は、和紙２０の透光部２２よりも大きい方が好ましい。
【００３５】
＜表示板の製造方法＞
上述した実施形態の文字板１００は、例えば、以下の工程により製造される。
【００３６】
すなわち、例えば、Ａ４サイズの大きさの反射板３０に、基準位置用の穴を２個以上、例えば打ち抜き加工により形成する。
【００３７】
反射板３０の表面３１にグラデーションや模様を形成する場合は、基準位置用の穴に基づいて特定された複数の位置にそれぞれ、例えばインクジェット印刷により、グラデーションや模様を形成する。
【００３８】
表面３１のグラデーションや模様が形成された後、表面３１に接着剤４０を塗布し、その上に、反射板３０に重なるＡ４サイズの大きさの和紙２０を重ねて、和紙２０を反射板３０に接着する。
【００３９】
次いで、反射板３０と和紙２０とが接合した接合体から、文字板１００の大きさに対応した部分（接合体部材）を、基準位置用の穴に基づいて、打ち抜き加工で切り出す。
【００４０】
これにより、Ａ４サイズの大きさの反射板３０及び和紙２０から、複数の文字板１００に対応した接合体部材を製造することができる。
【００４１】
切り出された各接合体部材の和紙２０の表面２５に、例えば、接着剤６０を含まされた筆でその接着剤６０がうっすらと塗られ、接着剤６０が乾く以前に、粉筒に入れられた金箔片５０が、表面２５に適度に分布して蒔き落とされる。表面２５に蒔き落とされた金箔片５０を軽く押さえることで、金箔片５０は和紙２０における繊維の遮光部２１の表面に沿って立体的に貼り付き固定されている。
【００４２】
その後、各接合体部材は乾燥されて接着剤６０が固められ、金箔片５０は和紙２０の表面２５に固定される。さらに、その後、重なっていたり浮き上がったりして固定が不十分の余分な金箔片５０が、筆等で払い落される。
【００４３】
金箔片５０を和紙２０に接着するための接着剤６０としては、和紙２０を反射板３０に接着させる接着剤４０に比べて弱い接着力のものが適用される。また、この接着剤４０は、和紙２０の表面２５に塗布されるが、例えば、光沢を抑えた接着剤を使用した場合や、接着剤の膜厚を薄く塗布した場合は、和紙のふんわりした質感を損ねない。
【００４４】
そこで、この接着剤６０としては、例えば膠若しくは漆又はエポキシ系接着剤その他の接着剤を適用するのが好ましい。
【００４５】
次に、接合体部材の和紙２０の表面２５の側に、接合体部材と同じサイズの透明上板１０を配置して、文字板１００を生成する。透明上板１０は、その裏面１２が和紙２０の表面２５に接触して配置されている。なお、透明上板１０を和紙２０に接触させている構造は、例えば、時計２００として組み立てられた状態で、時計２００のケースとムーブメントとによって、透明上板１０と和紙２０及び反射板３０とが挟まれた状態とした構造で実現することができる。
【００４６】
つまり、文字板１００のうち、表面２５に金箔片５０が接着された和紙２０と反射板３０とが、時計２００のムーブメントの上面に配置され、和紙２０の表面２５上に透明上板１０が接触して配置した状態とする。
【００４７】
その後、これらを時計２００のケースの裏蓋側の開口からケースの内部に挿入し、開口を裏蓋で封鎖した状態とすることにより、文字板１００は厚さ方向に、ケースとムーブメントとによって挟まれた状態となる。これにより、透明上板１０の裏面１２と和紙２０の表面２５とを接触させた状態とすることができる。
【００４８】
＜作用、効果＞
以上のように構成された本実施形態の文字板１００によれば、透明上板１０、和紙２０及び接着剤４０を通して、視認側から反射板３０に入射した光の一部は、前述した通り視認側に反射するが、視認側には、金箔片５０が分布して配置された和紙２０の質感を担った（依存した輝度分布の）反射光が出射する。
【００４９】
つまり、文字板１００は、和紙２０を通した反射光を観者に視認させるため、和紙２０を通さない反射光に比べて、和紙２０を通した柔らかな印象の反射光を視認させることができるとともに、表面２５に分布して配置された金箔片５０により、観者に、華やかで高級感のある印象を与えることができる。
【００５０】
これにより、本実施形態の文字板１００は、装飾的な表現を観者に視認させることができる。
【００５１】
なお、本実施形態の文字板１００において、透明上板１０は必須の構成ではないが、和紙２０の表面２５に接して透明上板１０を設けた構成により、以下の効果を得ることができる。すなわち、金箔片５０は、接着剤６０により和紙２０に接着されているが、和紙２０の表面２５は透明上板１０に接しているため、金箔片５０は透明上板１０によって和紙２０に押圧されていて、仮に接着剤６０の接着力が低下しても、金箔片５０が和紙２０から脱落することがない。
【００５２】
また、本実施形態の文字板１００は、金箔片５０が和紙２０の表面２５に、押さえられて固定されているため、和紙２０の繊維の表面に沿うように馴染んだ形状となっている。
したがって、視認側から文字板１００を見た観者に対して、金箔片５０の立体感を感じさせることができ、和紙２０との一体感を演出することができる。
【００５３】
つまり、仮に、金箔片５０を和紙２０に固定するのはなく、透明上板１０の裏面１２に直接接着した場合、金箔片５０は裏面１２に沿って平坦な状態で固定される。この場合、視認側から文字板１００を見た観者に対して、金箔片５０を平面的に感じさせてしまい、和紙２０の繊維による立体的な質感と分離した印象を与え、和紙２０との一体感を演出することができない。
【００５４】
本実施形態の文字板１００は、和紙２０の表面２５に金箔片５０を固定したものであるが、金箔片５０に代えて、他の金属箔片、例えばプラチナ箔片や、銀箔片、銅箔片等、貴金属の箔片や、金属箔片を適用することもできる。
【００５５】
なお、本発明に係る表示板及び時計における小部材は、上述した実施形態の文字板１００における金箔片５０等の箔片に限定されない。すなわち、本発明に係る表示板及び時計は、小部材として、粒状、粉末状又は繊維状の部材を適用することもできる。これら小部材として適用される箔片、粒状、粉状又は繊維状の部材は、装飾的な機能を発揮しうるものであることが好ましい。
【００５６】
小部材の一例としての粒状又は粉末状の部材としては、金属粒子、蛍光粒子、パール粒子、貝粉、木粉、炭素粉末、顔料、塗料又は染料等を適用可能である。
【００５７】
また、小部材の一例としての繊維状の部材としては、植物繊維、動物繊維又は鉱物繊維その他の天然繊維や、ポリエステル系合成繊維、ポリアミド系合成繊維、セルロース系半合成繊維、タンパク質系半合成繊維又はセルロース系再生繊維その他の化学繊維や、ガラス繊維又は炭素繊維その他の無機繊維や、これらいずれか１つ又は２つ以上の繊維に金属粉、金属箔又は金属を蒸着したフィルムを付着させたラメ繊維などを適用可能である。
【００５８】
本実施形態の文字板１００は、装飾部材として和紙２０を適用したものであるが、本発明に係る表示板は、装飾部材として和紙を適用したものに限定されない。すなわち、本発明に係る表示板は、装飾部材として繊維状のものを含んでいればよく、和紙の他に、不織布や、繊維等を面状に織った麻や絹等の布や、多数の糸をシート状に固めたものや、鳥の羽根や昆虫の透けた繊維質の羽根や、植物の微細な繊維質の葉脈なども適用することができる。
【００５９】
上述した実施形態の文字板１００は、ソーラセル９５を備えた腕時計の文字板に適用したものであるが、本発明に係る表示板は、ソーラセル９５を備えた腕時計に限定されず、標準時刻を担った電波やＧＰＳからの電波等を受信するアンテナを備えた腕時計の文字板に適用することもできる。
【００６０】
特に本発明における小部材は、装飾部材よりも十分に小さいため、この小部材の材質が金属であっても、文字板は電波の受信を妨げない。なお、文字板において、小部材同士は間隔をあけて分布している。
【００６１】
また、本発明に係る表示板は、ソーラセル９５もアンテナも備えないものであってもよい。
【００６２】
また、本発明に係る表示板は腕時計の文字板に適用するものに限定されず、置時計や掛け時計、懐中時計等、各種の時計の文字板等に適用することができる。
【００６３】
また、本発明に係る表示板は時計以外のものに適用することもできる。
【符号の説明】
【００６４】
１０    透明上板
２０    和紙（装飾部材の一例）
２１    遮光部
２２    透光部
２５，３１    表面
２６，３２    裏面
３０    反射板（反射部材の一例）
４０，６０    接着剤
５０    金箔片（小部材の一例）
９５    ソーラセル
１００  文字板（表示板の一例） 
【図１】
2020139943.tif 000003
【図２】
2020139943.tif 000004
【図３】
2020139943.tif 000005